(57)【要約】【解決手段】スライダ４は、カード３０がカード搬送路１ｄに所定量挿入されるとカードの挿入先端により押圧力を受けて該カード３０と共に移動し、挿入量規制手段（連結部材６）は、上記所定量を規制し、シャッター回動機構（シャッター７等）は、上記カード搬送路１ｄ挿入口の近傍に配され、上記スライダ４が移動すると回動変位して挿入口を閉塞する。【効果】高価なソレノイドやカードの位置を検出する位置センサを必要としなくなるので製品コストを安くすることができる。【選択図】        図１
2004288075.tif 000002
【特許請求の範囲】
【請求項１】
カードの挿入口を有するカード搬送路と、
前記カードが前記カード搬送路に所定量挿入されると前記カードの挿入先端により押圧力を受けて該カードと共に移動するスライダと、
前記所定量を規制する挿入量規制手段と、
前記カード搬送路の前記挿入口の近傍に配され、前記スライダが移動すると回動変位して該挿入口を閉塞するシャッター回動機構とを含むことを特徴とするカードリーダライタ装置。
【請求項２】
請求項１に記載のカードリーダライタ装置において、
前記シャッター回動機構は、
前記スライダの移動前は、前記挿入量規制手段により押圧力を受けて前記カード搬送路を開放し、前記スライダの移動後は該押圧力が除去されて前記カード搬送路を閉塞するシャッターと、
該シャッターを前記カード搬送路と同一方向に回動可能に枢支し、該シャッターと当接して前記カード搬送路を閉塞する回転支持部とを備えることを特徴とするカードリーダライタ装置。
【発明の詳細な説明】
【０００１】
【発明の属する技術分野】
本発明は、ＩＣカードシステム等に用いられるカード誤挿入防止用シャッター機構を備えるカードリーダライタ装置に関する。
【０００２】
【従来の技術】
近年の情報化社会におけるカードの役割は極めて大きい。金融機関における通帳の役割、流通過程における現金の役割、交通機関における乗車券の役割、等々多岐に亘っている。従って、カードリーダライタ装置が設置される場所も多岐に亘っている。如何なるシステムに用いられ、如何なる場所に設置されようとも、その正確なる動作は全てのカードリーダライタ装置に強く求められる。
【０００３】
特に、近年、システムの高速化に伴って、カードリーダライタ装置にも迅速な動作が求められる。ここでは、カードの誤挿入（複数枚挿入）が、完全に防止されなければならない。そこで、カードリーダライタ装置には、誤挿入防止用シャッター機構が設けられている。従来の誤挿入防止用シャッター機構の一例について以下に説明する。
【０００４】
図７は、従来のシャッター機構のカード挿入前の平面図である。
図８は、従来のシャッター機構のカード挿入前のＥ−Ｅ断面矢視図である。
図９は、従来のシャッター機構のカード挿入前の横断面図である。（ａ）は、Ｆ−Ｆ断面矢視図である。（ｂ）は、Ｇ−Ｇ断面矢視図である。
図１０は、従来のシャッター機構のカード挿入後の平面図である。
図１１は、従来のシャッター機構のカード挿入後のＨ−Ｈ断面矢視図である。
図１２は、従来のシャッター機構のカード挿入後の横断面図である。（ａ）は、Ｊ−Ｊ断面矢視図である。（ｂ）は、Ｋ−Ｋ断面矢視図である。
全図に亘って同一構成要素には同一の符号が付されている。
【０００５】
図７に示すように、カード３０は、図示していない駆動モータによって回転される上ローラ２２、及び下ローラ２９によって、シャーシ２１内部の搬送路２１ｃ上を搬送される。シャーシ２１内部に、搬送路２１ｃを横切る方向に回動可能な遮蔽板２７が配置されている。この遮蔽板２７は、未だカード３０が十分に挿入されていない場合には搬送路２１ｃを遮蔽することなく開放状態に配置され、カード３０の挿入を可能とする。シャーシ２１内部に、既に、カード３０が十分に挿入されている場合には、遮蔽板２７が搬送路２１ｃを横切る方向に回転して搬送路２１ｃを遮蔽する。その結果、他のカードの挿入が遮断される。
【０００６】
図９（ａ）及び（ｂ）は、シャーシ２１内部に、未だカード３０が十分に挿入されていない場合（図７）に、遮蔽板２７が、搬送路２１ｃを開放している状態を表している。
図１２（ａ）及び（ｂ）は、シャーシ２１内部に、既にカード３０が十分に挿入されている場合（図１０）に、遮蔽板２７が、搬送路２１ｃを遮蔽している状態を表している。
【０００７】
遮蔽板２７による搬送路２１ｃの開放、遮蔽は、ソレノイド２３によって実行される。カード３０がシャーシ２１の内部に搬送され、カード止め部２１ｂの位置に達すると（図１０の状態）、図示していないセンサが、このカード３０を検知する。その時ソレノイド２３にソレノイド電流が通電される。ソレノイド２３は、図１２に示すようにスプリング２５のバネ力に抗して心棒２４を吸引する。心棒２４にはピン２６が設けられている。
【０００８】
このピン２６は、遮蔽板２７に設けられているカム溝２７ａを貫通している。更に、遮蔽板２７はシャーシ２１に形成されている枢支軸２１ｄに回動可能に取り付けられている。従って、ソレノイド２３が心棒２４を吸引するとピン２６がカム溝２７ａを介して遮蔽板２７に回動力を付与する。従って、遮蔽板２７が枢支軸２１ｄを中心にして回転し搬送路２１ｃを遮蔽する。
【０００９】
先に挿入したカードのリード・ライトが終了すると、ソレノイド２３へのソレノイド電流の通電が停止される。通電が停止されるとソレノイド２３の吸引力は失われ、図９に示すようにスプリング２５のバネ力によって心棒２４が突出し、元の位置まで戻る。従って、遮蔽板２７が枢支軸２１ｄを中心にして逆回転して元の位置に戻り、搬送路２１ｃを開放する。
【００１０】
【発明が解決しようとする課題】
以上説明した従来のシャッター機構では、シャッターとしての遮蔽板２７を回動させるために高価なソレノイド２３が必要となる上に、カード３０の位置検出用の高価なセンサを必要とする。また、ソレノイド２３を駆動するためにソレノイド電流を供給すると、このソレノイド電流の通電又は通電停止時に電磁ノイズが発生し、カード３０の読取り又は書込み処理に悪影響を及ぼすことがある。
【００１１】
そして、この電磁ノイズは、非接触カードを用いる場合には特に大きな悪影響を及ぼすことがある。更に、遮蔽板２７は、枢支軸２１ｄのみによって軸支されているため、利用者が強い力でカード３０を挿入した場合等には枢支軸２１ｄに無理な力が加わり、シャッター機構の故障原因となる恐れがあった。
本発明の目的は、これらの問題点を解決するために、安価でカードの読取り処理等に悪影響を及ぼすことがなく、且つ故障の少ないシャッター機構を備えるリーダライタ装置を提供することにある。
【００１２】
【課題を解決するための手段】
本発明は以上の点を解決するため次の構成を採用する。
〈構成１〉
カードの挿入口を有するカード搬送路と、上記カードが上記カード搬送路に所定量挿入されると上記カードの挿入先端により押圧力を受けて該カードと共に移動するスライダと、上記所定量を規制する挿入量規制手段と、上記カード搬送路の上記挿入口の近傍に配され、上記スライダが移動すると回動変位して該挿入口を閉塞するシャッター回動機構とを含むことを特徴とする。
【００１３】
〈構成２〉
構成１に記載のカードリーダライタ装置において、上記シャッター回動機構は、上記スライダの移動前は、上記挿入量規制手段により押圧力を受けて上記カード搬送路を開放し、上記スライダの移動後は該押圧力が除去されて上記カード搬送路を閉塞するシャッターと、該シャッターを上記カード搬送路と同一方向に回動可能に枢支し、該シャッターと当接して上記カード搬送路を閉塞する回転支持部とを備えることを特徴とする。
【００１４】
〈作用〉
カードがカード搬送路の所定位置まで挿入されると、スライダの移動が挿入量規制手段により規制され、かつスライダの移動でシャッター回動機構が動作を開始してシャッターに回動力を付与する。従って、カードを位置検出センサにより検知する必要が無い上に電磁ソレノイドを用いずに機構的にカード搬送路のカード挿入口を閉塞することができる。
【００１５】
又、上記シャッター回動機構は、上記スライダの移動前は、上記挿入量規制手段に押圧され上記カード搬送路を開放し、上記スライダが移動すると上記カード搬送路を閉塞するシャッターと、該シャッターを上記カード搬送路と同一方向に回動可能に枢支し、該シャッターと当接して上記カード搬送路を閉塞する回転支持部とを備えることにより、上記カード搬送路が閉塞されているときに強い挿入力でカードが誤挿入されても、その強い挿入力は、装置本体に吸収されシャッター回動機構に無理な力が印加されるのを回避することができる。
【００１６】
【発明の実施の形態】
〈具体例の構成〉
以下、本発明の実施の形態を具体例を用いて説明する。
図１は、本発明のシャッター機構のカード挿入前の平面図である。
図２は、本発明のシャッター機構のカード挿入前のＡ−Ａ断面矢視図である。
図３は、本発明のシャッター機構のカード挿入前のＢ−Ｂ断面矢視図である。
図４は、本発明のシャッター機構のカード挿入後の平面図である。
図５は、本発明のシャッター機構のカード挿入後のＣ−Ｃ断面矢視図である。
図６は、本発明のシャッター機構のカード挿入後のＤ−Ｄ断面矢視図である。
全図に亘って同一構成要素には同一の符号が付されている。
【００１７】
図に示すように、本発明によるカード誤挿入防止用シャッター機構を備えるカードリーダライタ装置は、シャーシ１、上ローラ２、下ローラ３、スライダ４、スライダ戻しバネ５、連結部材６、シャッター７、シャッター回動バネ８とを備える。
【００１８】
シャーシ１は、カードリーダライタ装置の本体を形成し、上ローラ２等がこのシャーシ１に装着される。
シャーシ１の中央には搬送路１ｄが形成されている。この搬送路１ｄは、カード３０を挿入、搬送するための空間であり、図２に示すようにカード３０の厚さの数倍の間隔を有する２枚の内側平行平板によって形成されている。
【００１９】
上ローラ２と、下ローラ３は、対向して配置され、図示していない駆動モータによって回転され、カード３０を搬送路１ｄ内に取り込み、かつ搬送路１ｄ内を搬送させる。
【００２０】
スライダ４は、上方の内側平行平板１ａ上に移動可能に配される枠体４ａを備え、枠体４ａの後端側下面には、内側平行平板１ａ，１ｂに形成されている移動規制穴１ｅ，１ｅを通って搬送路１ｄまで伸長するストッパ４ｃが突設されている。枠体４ａの対向する側壁にはそれぞれ一対の突起４ｂが２組が設けられ、各突起４ｂは内側平行平板１ａに一体的に形成されている各ガイド部９のガイド溝９ａに係入されている。
【００２１】
スライダ戻しバネ５は、その一端がスライダ４の前壁の中央に連結され、他端が内側平行平板１ａの外側に設けられているバネ止め１ｆに連結されている。
連結部材６は、その一端がスライダ４の前壁の一端に連結され、他端がＬ字状に折り曲げられてシャッター７の突起部７ａに当接して押圧し、これによりシャッター７を押し上げて搬送路１ｄを開放している。請求項１における挿入量規制手段は、この連結部材６に該当する。
【００２２】
シャッター７は突起部７ａの設けられているコの字状の回動体７ｂと、回動体７ｂに一体形成されて下方に突出する遮蔽部７ｃとを有し、回動体７ｂは内側平行平板１ａの外側に一体的に設けられている２個の回転支持部１ｃに回動可能に枢支されている。この回動体７ｂは、シャッター回動バネ８により、図２において反時計方向への回動力が常時、付与されている。
【００２３】
〈具体例の動作〉
図１、図２及び図３に示すように、カード３０が挿入される前は、スライダ戻しバネ５の弾性力により、スライダ４のストッパ４ｃが移動規制穴１ｅのカード挿入口に近い縁部に当接されている。
【００２４】
利用者がカード３０をシャーシ１の搬送路１ｄに挿入すると、シャッター７が開放状態なのでカード３０は上ローラ２及び下ローラ３に挟持される。この位置からカード３０は上ローラ２及び下ローラ３の回転によって搬送路１ｄ内を搬送される。
【００２５】
カード３０がスライダ４のストッパ４ｃに当接すると、スライダ４がスライダ戻しバネ５のバネ力に抗してカードの搬入方向に沿って移動する。その後、スライダ４のストッパ４ｃが移動規制穴１ｅの反対側の縁部に当接すると、スライダ４が停止する。この状態ではカード３０が完全に挿入されているので、カード３０に対するリード・ライト処理が開始される。
【００２６】
一方、スライダ４のストッパ４ｃが移動すると、連結部材６の他端が、図４に示すように、シャッター７の突起部７ａから離間するので、回動体７ｂがシャッター回動バネ８の弾性力により回動し、遮蔽部７ｃが、図６に示すように、搬送路１ｄのカード挿入口を閉塞する。この状態では、強い挿入力でカードが誤挿入されても、挿入力は装置本体に吸収されシャッター回動機構に無理な力が印加されるのを回避することができる。
【００２７】
次に、挿入したカード３０のリード・ライト処理が終了すると、上ローラ２と下ローラ３が逆回転してカード３０が排出される。スライダ戻しバネ５の弾性力によってスライダ４が元の位置に戻る。
一方、スライダ４が元の位置まで戻ると、連結部材６の他端がシャッター７の突起部７ａを押圧するので、シャッター回動バネ８の弾性力に抗してシャッター７が押し上げられる。従って、搬送路１ｄのカード挿入口が開放状態に維持されているのでカード３０を排出することができる。
【００２８】
尚、上記具体例の説明では、スライダ４と連結部材６とを別体構成にしているが、スライダ４と連結部材６の一端を一体化したものであっても良い。又、連結部材６の寸法を調整することによって、所定のカード挿入量を容易に変更することができることに留意すべきである。
【００２９】
更に、カードが搬送路１ｄ内に所定量挿入された後カード３０と共にスライダ４が移動することとしたのでスライダ４とカード３０との相対位置が正確に一致することになる。従って、電気接続部（図示していない）をスライダ４に載せることによってカード３０とカードリーダライタ装置との正確な電気接続が達成される。
【００３０】
【発明の効果】
本発明のシャッター機構によれば、以下の効果を得る。
１．高価なソレノイドやカードの位置を検出する位置センサを必要としなくなるので製品コストを安くすることができる。
２．ソレノイドを構成要素としないため電磁ノイズが発生しない。
３．スライダとストッパによりカードを正確に位置決めできるので、正確なリード・ライト処理を行うことができる。
４．シャッターの回動体を二つの回転支持部により支持するので、シャッターの強度が向上し、故障が少なくなる。
【図面の簡単な説明】
【図１】本発明のシャッター機構のカード挿入前の平面図である。
【図２】本発明のシャッター機構のカード挿入前のＡ−Ａ断面矢視図である。
【図３】本発明のシャッター機構のカード挿入前のＢ−Ｂ断面矢視図である。
【図４】本発明のシャッター機構のカード挿入後の平面図である。
【図５】本発明のシャッター機構のカード挿入後のＣ−Ｃ断面矢視図である。
【図６】本発明のシャッター機構のカード挿入後のＤ−Ｄ断面矢視図である。
【図７】従来のシャッター機構のカード挿入前の平面図である。
【図８】従来のシャッター機構のカード挿入前のＥ−Ｅ断面矢視図である。
【図９】従来のシャッター機構のカード挿入前の横断面図である。（ａ）は、Ｆ−Ｆ断面矢視図である。（ｂ）は、Ｇ−Ｇ断面矢視図である。
【図１０】従来のシャッター機構のカード挿入後の平面図である。
【図１１】従来のシャッター機構のカード挿入後のＨ−Ｈ断面矢視図である。
【図１２】従来のシャッター機構のカード挿入後の横断面図である。（ａ）は、Ｊ−Ｊ断面矢視図である。（ｂ）は、Ｋ−Ｋ断面矢視図である。
【符号の説明】
１  シャーシ
１ａ，１ｂ  内側平行平板
１ｃ  回転支持部
１ｄ  搬送路
１ｅ  移動規制穴
１ｆ  バネ止め
２  上ローラ
３  下ローラ
４  スライダ
４ａ  枠体
４ｂ  突起
４ｃ  ストッパ
５  スライダ戻しバネ
６  連結部材
７  シャッター
７ａ  突起部
７ｂ  回動体
７ｃ  遮蔽部
８  シャッター回動バネ
９  ガイド部
９ａ  ガイド溝
３０  カード
【図１】
2004288075.tif 000003
【図２】
2004288075.tif 000004
【図３】
2004288075.tif 000005
【図４】
2004288075.tif 000006
【図５】
2004288075.tif 000007
【図６】
2004288075.tif 000008
【図７】
2004288075.tif 000009
【図８】
2004288075.tif 000010
【図９】
2004288075.tif 000011
【図１０】
2004288075.tif 000012
【図１１】
2004288075.tif 000013
【図１２】
2004288075.tif 000014